(57)【要約】本明細書によって開示されるコネクタ１０は、電線（第１電線Ｗ１）と、電線の外周面に嵌着されたゴム栓６０と、前方に開口して設けられたゴム栓収容部２２を有し、ゴム栓収容部２２の内周面と電線の外周面との間でゴム栓６０を挟持するハウジング２０と、ゴム栓収容部２２に前方から装着されゴム栓６０をゴム栓収容部２２内に保持させるリテーナ（第１リテーナ３０）とを備え、リテーナは、電線の外周面に対して相対変位可能な撓み片３５と、電線の外周面に対して相対変位不能な固定片３６とを備え、ハウジング２０は、撓み片３５を電線の外周面に押し込む押込片２５を備え、電線は、押込片２５によって電線の外周面に押し込まれた状態の撓み片３５と固定片３６とによってリテーナに保持されている構成とした。
2019124030.tif 000002
【特許請求の範囲】
【請求項１】
電線と、
前記電線の外周面に嵌着されたゴム栓と、
前方に開口して設けられたゴム栓収容部を有し、前記ゴム栓収容部の内周面と前記電線の外周面との間で前記ゴム栓を挟持するハウジングと、
前記ゴム栓収容部に前方から装着され前記ゴム栓を前記ゴム栓収容部内に保持させるリテーナとを備え、
前記リテーナは、前記電線の外周面に対して相対変位可能な撓み片と、前記電線の外周面に対して相対変位不能な固定片とを備え、
前記ハウジングは、前記撓み片を前記電線の外周面に押し込む押込片を備え、
前記電線は、前記押込片によって前記電線の外周面に押し込まれた状態の前記撓み片と前記固定片とによって前記リテーナに保持されているコネクタ。
【請求項２】
前記撓み片と前記固定片は、前記電線の外周面に沿って周方向に交互に並んで複数配され、前記撓み片と前記固定片の間にはスリットが形成されている請求項１に記載のコネクタ。
【請求項３】
前記押込片は前記ゴム栓収容部の開口縁から前方に突出して設けられ、前記リテーナは、前記押込片を挿通させる押込片挿通孔が形成された前壁を有している請求項１または請求項２に記載のコネクタ。
【請求項４】
前記固定片は、前記前壁から前方に突出して設けられ、前記固定片と前記前壁は撓み防止リブによって連結されている請求項３に記載のコネクタ。
【請求項５】
前記撓み片は、前記前壁から前方に突出して設けられ、前記撓み片の前端にはランス部が突出して設けられ、前記撓み片は、前記押込片によって前記ランス部を介して前記電線の外周面に押し込まれる請求項３または請求項４に記載のコネクタ。
【発明の詳細な説明】
【技術分野】
【０００１】
本明細書によって開示される技術は、コネクタに関する。
【背景技術】
【０００２】
従来、張力逃し機構（ストレインリリーフ）を備えるシールドコネクタとして特表２０１２−５１１８０４号公報（下記特許文献１）に記載のコネクタ組立体が知られている。このコネクタ組立体は、内部ハウジング部分組立体、外部ハウジング部分組立体、スペーサ、ケーブルシール、コレット、およびリテーナを含んで構成されている。ケーブルシールは、外部ハウジング部分組立体の後端を通じて湿気や他の異物が外部ハウジング部分組立体の内部へ侵入することに対してシールする。コレットは、ケーブルからの張力がケーブルシールドとシールドとの接続に作用することを防止するためにケーブルを固定するものであって、ケーブルに押し込まれる指状部を備えている。コレットの後方からリテーナを外部ハウジンング部分組立体に組み付けると、リテーナの押込部がコレットの指状部を押し込むことにより、ケーブルをコレットに固定することができる。
【先行技術文献】
【特許文献】
【０００３】
【特許文献１】特表２０１２−５１１８０４号公報
【発明の概要】
【発明が解決しようとする課題】
【０００４】
しかしながら、上記のコネクタ組立体では、ケーブルからの張力がケーブルシールドとシールドとの接続に作用することを防止するのに、外部ハウジング部分組立体とコレットとリテーナとの３部品によってケーブルを固定しているため、部品点数が多くなり、部品コストが増加する。
【課題を解決するための手段】
【０００５】
本明細書によって開示されるコネクタは、電線と、前記電線の外周面に嵌着されたゴム栓と、前方に開口して設けられたゴム栓収容部を有し、前記ゴム栓収容部の内周面と前記電線の外周面との間で前記ゴム栓を挟持するハウジングと、前記ゴム栓収容部に前方から装着され前記ゴム栓を前記ゴム栓収容部内に保持させるリテーナとを備え、前記リテーナは、前記電線の外周面に対して相対変位可能な撓み片と、前記電線の外周面に対して相対変位不能な固定片とを備え、前記ハウジングは、前記撓み片を前記電線の外周面に押し込む押込片を備え、前記電線は、前記押込片によって前記電線の外周面に押し込まれた状態の前記撓み片と前記固定片とによって前記リテーナに保持されている構成とした。【０００６】
このような構成によると、リテーナをハウジングのゴム栓収容部に装着する際にハウジングの押込片がリテーナの撓み片を電線の外周面に押し込む。リテーナの撓み片によって電線が押し込み方向と異なる方向に拡径しようとするものの、固定片によって電線の拡径が抑制されるから、撓み片と固定片の双方から電線が押圧された状態となり、電線がリテーナに保持される。したがって、ハウジングとリテーナの２部品で電線を保持することが可能になり、従来のように３部品で電線を保持するよりも部品点数を削減できる。【０００７】
また、仮に撓み片が電線の外周面に押し込まれた状態でリテーナをハウジングに組み付けようとすると、撓み片と固定片が電線の被覆に食い込むなどして電線を損傷するおそれがあるところ、上記の構成によると、リテーナをハウジングに組み付ける動作に連動して撓み片が電線の外周面を徐々に押し込むようになっているため、電線の外周面を押し込む力が徐々に大きくなり、電線が損傷しにくくなる。【０００８】
本明細書によって開示されるコネクタは、以下の構成としてもよい。
前記撓み片と前記固定片は、前記電線の外周面に沿って周方向に交互に並んで複数配され、前記撓み片と前記固定片の間にはスリットが形成されている構成としてもよい。
このような構成によると、撓み片と固定片がスリットを介して隣り合うため、撓み片によって電線が外周面が押し込まれた際に電線の外周面における撓み片の両側部分が拡径しようとしても、この両側部分の拡径を固定片によって抑制することができる。【０００９】
前記押込片は前記ゴム栓収容部の開口縁から前方に突出して設けられ、前記リテーナは、前記押込片を挿通させる押込片挿通孔が形成された前壁を有している構成としてもよい。
このような構成によると、ゴム栓収容部の開口縁から押込片を前方に突出して設け、リテーナの前壁に押込片挿通孔を設けたから、リテーナの前壁をゴム栓収容部により近づけることができ、コネクタ全体を小型化することができる。【００１０】
前記固定片は、前記前壁から前方に突出して設けられ、前記固定片と前記前壁は撓み防止リブによって連結されている構成としてもよい。
このような構成によると、固定片が前壁と撓み防止リブの２箇所に連結されるため、固定片の撓みを確実に防止できる。【００１１】
前記撓み片は、前記前壁から前方に突出して設けられ、前記撓み片の前端にはランス部が前記撓み片の変位方向に突出して設けられ、前記押込片は前記ランス部を前記電線の外周面に向けて押し込む構成としてもよい。
このような構成によると、ランス部が撓み片の前端に位置しているため、電線の外周面を押し込み始めるタイミングがより遅くなり、より電線が損傷しにくくなる。
【発明の効果】
【００１２】
本明細書によって開示されるコネクタによれば、電線の損傷を防ぎつつ、部品点数を削減できる。
【図面の簡単な説明】
【００１３】
【図１】コネクタの斜視図
【図２】コネクタの平面図
【図３】コネクタの側面図
【図４】図３におけるＡ−Ａ線断面図
【図５】コネクタの正面図
【図６】図５におけるＢ−Ｂ線の位置でコネクタを切断した断面図であって、リテーナをハウジングに装着し始める様子を示した断面図
【図７】図６の一部を拡大して示した断面図
【図８】図７の状態よりもリテーナの装着が進んだ状態を示した断面図
【図９】図５におけるＢ−Ｂ線断面図
【図１０】ハウジングの平面図
【図１１】ハウジングの側面図
【図１２】リテーナを斜め前方から見た斜視図
【図１３】リテーナを斜め後方から見た斜視図
【図１４】リテーナの正面図
【図１５】リテーナの平面図
【図１６】リテーナの側面図
【発明を実施するための形態】
【００１４】
＜実施形態＞
実施形態を図１から図１６の図面を参照しながら説明する。本実施形態のコネクタ１０は、図１に示すように、前後方向に延びるハウジング２０と、ハウジング２０の前後両端部に装着された前後一対のリテーナ３０、４０と、前側の第１リテーナ３０から前方に引き出された第１電線Ｗ１と、後側の第２リテーナ４０から後方に引き出された第２電線Ｗ２および第３電線Ｗ３とを備えて構成されている。図２に示すように、第１電線Ｗ１は、第２電線Ｗ２よりも小径で、第３電線Ｗ３よりも大径とされている。第２電線Ｗ２から入力された電流は、第１電線Ｗ１と第３電線Ｗ３に分岐されて出力されるものとされている。
【００１５】
図４に示すように、ハウジング２０の内部には、前後方向に貫通するキャビティ２１が設けられている。キャビティ２１には、各電線Ｗ１、Ｗ２、Ｗ３の芯線を導通可能に接続する導電部材５０が収容されている。各電線Ｗ１、Ｗ２、Ｗ３の芯線は導電部材５０に対して例えば抵抗溶接によって接続されている。これにより、第１電線Ｗ１と第２電線Ｗ２と第３電線Ｗ３とは互いに導通可能に接続される。
【００１６】
ハウジング２０の前後両端部には、前後一対のゴム栓収容部２２が設けられている。前後一対のゴム栓収容部２２の内部には、一対のゴム栓６０が収容されている。前側のゴム栓収容部２２は前方に開口する形態をなし、後側のゴム栓収容部２２は後方に開口する形態をなしている。各ゴム栓収容部２２の内部空間はキャビティ２１の一部を構成しており、導電部材５０が内部に収容された導電部材収容部２３を介して互いに連通している。
【００１７】
図１０および図１１に示すように、ハウジング２０の前端部における上下両面には、上下一対のロック突部２４が設けられ、ハウジング２０の後端部における上下両面には、上下一対のロック突部２４が設けられている。ロック突部２４は、図９に示すように、ゴム栓収容部２２の奥壁２２Ａと上下方向に揃う位置に配されている。
【００１８】
図１０に示すように、前側のゴム栓収容部２２の開口縁には、前側の押込片２５が前方に突出して設けられている。図１１に示すように、前側の押込片２５は上下一対設けられている。同様に、後側のゴム栓収容部２２の開口縁にも、上下一対の押込片２５が設けられているが、後側の押込片２５は前側の押込片２５よりも幅広に形成されている。
【００１９】
第１リテーナ３０は、図１２と図１３に示すように、第１電線Ｗ１を挿通させて保持する保持孔３１が形成された前壁３２と、前壁３２の周縁から後方に延びる形態をなす周壁３３とを備えて構成されている。周壁３３には、上下一対のロック片３４が設けられている。ロック片３４は、周壁３３の前縁から略Ｕ字状に後方に突出する片持ち状をなし、図１に示すように、ロック片３４の後端部がハウジング２０のロック突部２４に係止することで第１リテーナ３０がハウジング２０のゴム栓収容部２２に外嵌した状態に保持される。なお、第２リテーナ４０は、第１リテーナ３０とほぼ同じ構成であるため、その説明を省略するものとし、第１リテーナ３０と対応する構成については、第１リテーナ３０の符号の数字部分に１０を足した符号を用いるものとする。
【００２０】
図１２に示すように、第１リテーナ３０の前壁３２には、一対の撓み片３５と一対の固定片３６とが設けられている。一対の撓み片３５は第１電線Ｗ１の外周面に対して相対変位可能で、一対の固定片３６は第１電線Ｗ１の外周面に対して相対変位不能である。一対の撓み片３５と一対の固定片３６とは、第１リテーナ３０がハウジング２０の前側のゴム栓収容部２２に装着された状態では、第１電線Ｗ１の外周面に沿って周方向に交互に並んで配置され、前面視において全体として円環状をなしている。撓み片３５と固定片３６の間にはスリット３７が形成されている。スリット３７は全部で４つ設けられ、９０°間隔で配置されている。一対の撓み片３５は上下方向に対向して配置され、一対の固定片３６は左右方向に対向して配置されている。図１２に示すように、撓み片３５の内周面には、前後方向に延びる押圧リブ３５Ａが径方向内側に突出して設けられている。
【００２１】
上下一対の撓み片３５の外周における前端には、上下一対のランス部３８が径方向外側に突出して設けられている。上側のランス部３８は上側の撓み片３５から上方に突出し、下側のランス部３８は下側の撓み片３５から下方に突出している。上下一対のランス部３８は上下方向に揃うように一直線に並んで配されている。図１６に示すように、ランス部３８の前後方向の寸法は、撓み片３５の前後方向の寸法の約半分とされている。
【００２２】
図１２に示すように、左右一対の固定片３６の外周には、左右一対の撓み防止リブ３９が径方向外側に突出して設けられている。左側の撓み防止リブ３９は左側の固定片３６から左方に突出し、右側の撓み防止リブ３９は右側の固定片３６から右方に突出している。左右一対の撓み防止リブ３９は左右方向に揃うように一直線に並んで配されている。図１５に示すように、撓み防止リブ３９の前後方向の寸法は、固定片３６の前後方向の寸法と同じとされ、撓み防止リブ３９は、固定片３６と前壁３２の双方に連結されている。
【００２３】
図１２に示すように、第１リテーナ３０の前壁３２におけるロック片３４の基端部には、左右方向に延びる押込片挿通孔３２Ａが設けられている。押込片挿通孔３２Ａは、上下一対のロック片３４に対応して上下一対設けられている。押込片挿通孔３２Ａとロック片３４とは上下方向に連なって設けられ、押込片挿通孔３２Ａとロック片３４の内側空間とは互いに連通している。
【００２４】
次に、第１リテーナ３０によって第１電線Ｗ１をハウジング２０に保持する手順について説明する。図６に示すように、第１電線Ｗ１が前側のゴム栓収容部２２から前方に引き出された状態で、第１電線Ｗ１に先通しされたゴム栓６０をゴム栓収容部２２の内部に装着する。これにより、ゴム栓６０が第１電線Ｗ１の外周面とゴム栓収容部２２の内周面との間で挟持された状態となる。この状態から第１リテーナ３０を前側のゴム栓収容部２２に前方から装着していくと、図７に示すように、撓み片３５の押圧リブ３５Ａが第１電線Ｗ１に乗り上げて撓み片３５が傾いた姿勢となる。このようにすると、押圧リブ３５Ａが第１電線Ｗ１の外周面に食い込んでいないため、第１リテーナ３０の装着によって第１電線Ｗ１の外周面が傷つくおそれはない。
【００２５】
さらに第１リテーナ３０を前側のゴム栓収容部２２に装着していくと、図８に示すように、撓み片３５のランス部３８が押込片２５の前端に当接し始める。ここで、ランス部３８と押込片２５の各当接部分には互いに誘い込み可能なテーパ面が形成されているため、ランス部３８が押込片２５の内側に円滑に進入することになる。これに伴って、撓み片３５の押圧リブ３５Ａがランス部３８を介して第１電線Ｗ１の外周面に食い込み始める。第１電線Ｗ１は、上下一対の撓み片３５によって上下方向から挟まれることで左右方向に拡径しようとするものの、第１電線Ｗ１の左右両側には左右一対の固定片３６が配されているため、左右方向に拡径することが抑制される。しかも、固定片３６は撓み防止リブ３９によって撓みが防止されているため、第１電線Ｗ１によって撓むことはないものとされている。
【００２６】
こうして、図９に示すように、第１リテーナ３０の装着が完了すると同時に、撓み片３５の押圧リブ３５Ａが第１電線Ｗ１の外周面に食い込んだ状態となり、第１電線Ｗ１が第１リテーナ３０に保持される。このとき、第１電線Ｗ１は、上下一対の撓み片３５と左右一対の固定片３６とによって全周に亘って押圧保持されるとともに、第１リテーナ３０がハウジング２０に保持されていることから、第１電線Ｗ１は第１リテーナ３０を介してハウジング２０に強固に保持される。また、第１リテーナ３０の装着完了と同時に撓み片３５の押圧リブ３５Ａが第１電線Ｗ１の外周面に食い込むため、第１電線Ｗ１の外周面が第１リテーナ３０の装着によって傷つくことはない。
【００２７】
以上のように本実施形態では、リテーナ（第１リテーナ３０）をハウジング２０のゴム栓収容部２２に装着する際にハウジング２０の押込片２５がリテーナの撓み片３５を電線（第１電線Ｗ１）の外周面に押し込む。リテーナの撓み片３５によって電線が押し込み方向と異なる方向に拡径しようとするものの、固定片３６によって電線の拡径が抑制されるから、撓み片３５と固定片３６の双方から電線が押圧された状態となり、電線がリテーナに保持される。したがって、ハウジング２０とリテーナの２部品で電線を保持することが可能になり、従来のように３部品で電線を保持するよりも部品点数を削減できる。
【００２８】
また、仮に撓み片３５が電線の外周面に押し込まれた状態でリテーナをハウジング２０に組み付けようとすると、撓み片３５と固定片３６が電線の被覆に食い込むなどして電線を損傷するおそれがあるところ、上記の構成によると、リテーナをハウジング２０に組み付ける動作に連動して撓み片３５が電線の外周面を徐々に押し込むようになっているため、電線の外周面を押し込む力が徐々に大きくなり、電線が損傷しにくくできる。
【００２９】
撓み片３５と固定片３６は、電線の外周面に沿って周方向に交互に並んで複数配され、撓み片３５と固定片３６の間にはスリット３７が形成されている構成としてもよい。
このような構成によると、撓み片３５と固定片３６がスリット３７を介して隣り合うため、撓み片３５によって電線が外周面が押し込まれた際に電線の外周面における撓み片３５の両側部分が拡径しようとしても、この両側部分の拡径を固定片３６によって抑制することができる。
【００３０】
押込片２５はゴム栓収容部２２の開口縁から前方に突出して設けられ、リテーナは、押込片２５を挿通させる押込片挿通孔３２Ａが形成された前壁３２を有している構成としてもよい。
このような構成によると、ゴム栓収容部２２の開口縁から押込片２５を前方に突出して設け、リテーナの前壁３２に押込片挿通孔３２Ａを設けたから、リテーナの前壁３２をゴム栓収容部２２により近づけることができ、コネクタ１０全体を小型化することができる。
【００３１】
固定片３６は、前壁３２から前方に突出して設けられ、固定片３６と前壁３２は撓み防止リブ３９によって連結されている構成としてもよい。
このような構成によると、固定片３６が前壁３２と撓み防止リブ３９の２箇所に連結されるため、固定片３６の撓みを確実に防止できる。
【００３２】
撓み片３５は、前壁３２から前方に突出して設けられ、撓み片３５の前端にはランス部３８が撓み片３５の変位方向に突出して設けられ、押込片２５はランス部３８を電線の外周面に向けて押し込む構成としてもよい。
このような構成によると、ランス部３８が撓み片３５の前端に位置しているため、電線の外周面を押し込み始めるタイミングがより遅くなり、より電線が損傷しにくくなる。
【００３３】
＜他の実施形態＞
本明細書によって開示される技術は上記記述及び図面によって説明した実施形態に限定されるものではなく、例えば次のような種々の態様も含まれる。
（１）上記実施形態では一対の撓み片３５を設けているものの、撓み片３５を１つだけ設けてもよいし、３つ以上設けてもよい。同様に、本実施形態では一対の固定片３６を設けているものの、固定片３６を１つだけ設けてもよいし、３つ以上設けてもよい。
【００３４】
（２）上記実施形態では撓み片３５と固定片３６の間にスリット３７が形成されているものを例示したが、撓み片と固定片が連なって設けられているものとしてもよい。
【００３５】
（３）上記実施形態では押込片２５がゴム栓収容部２２の開口縁から前方に突出して設けられているものとしたが、ゴム栓収容部２２の開口縁から全周に亘って筒状をなして前方に突出するフード部を押込片としてもよい。その場合、第１リテーナはフード部内に嵌合して装着されるものとしてもよい。
【００３６】
（４）上記実施形態では撓み防止リブ３９が固定片３６と前壁３２の双方に連結されているものを例示したが、撓み防止リブは固定片３６と前壁３２のいずれか一方のみに連結され、他方とはわずかなクリアランスをもって離れているものとしてもよい。
【００３７】
（５）上記実施形態では撓み片３５の前端部にランス部３８が設けられているものの、撓み片３５の全長に亘ってランス部を設けてもよい。
【符号の説明】
【００３８】
１０…コネクタ
２０…ハウジング
２２…ゴム栓収容部
２５…押込片
３０…第１リテーナ
３２、４２…前壁
３２Ａ、４２Ａ…押込片挿通孔
３５、４５…撓み片
３６、４６…固定片
３７、４７…スリット
３８、４８…ランス部
３９、４９…撓み防止リブ
４０…第２リテーナ
６０…ゴム栓
Ｗ１…第１電線
Ｗ２…第２電線
Ｗ３…第３電線
【図１】
2019124030.tif 000003
【図２】
2019124030.tif 000004
【図３】
2019124030.tif 000005
【図４】
2019124030.tif 000006
【図５】
2019124030.tif 000007
【図６】
2019124030.tif 000008
【図７】
2019124030.tif 000009
【図８】
2019124030.tif 000010
【図９】
2019124030.tif 000011
【図１０】
2019124030.tif 000012
【図１１】
2019124030.tif 000013
【図１２】
2019124030.tif 000014
【図１３】
2019124030.tif 000015
【図１４】
2019124030.tif 000016
【図１５】
2019124030.tif 000017
【図１６】
2019124030.tif 000018
【国際調査報告】
2019124030.tif 000019
2019124030.tif 000020
2019124030.tif 000021